(57)【要約】【課題】店頭での訴求性に優れ、開封や再封緘も容易な包装箱を提供する。【解決手段】天板１、後板２、底板３、前板４及び側板５を備え、天板１の前方から側部沿いに後方へ切目線を入れて、その内側に蓋８を形成し、切目線８ｂの切断に伴い蓋８を開ける包装箱において、天板１及び前板４に前方へ突出する脚部７を連設して、脚部７同士を重ね合わせ、天板１の脚部７に入れた切目線８ａにより蓋８の先端側を形成すると共に、前板４の脚部７に入れた切目線９により蓋８側へ突出する再封緘用の係止片１０を形成し、天板１を正面に向け、脚部７で傾斜状態に支持して陳列できるようにする。【選択図】図３
2008168915.tif 000002
【特許請求の範囲】
【請求項１】
天板(1)、後板(2)、底板(3)、前板(4)及び側板(5)を備え、天板(1)の前方から側部沿いに後方へ切目線(8b)を入れて、その内側に蓋(8)を形成し、切目線(8b)の切断に伴い蓋(8)を開ける包装箱において、
天板(1)及び前板(4)に前方へ突出する脚部(7)を連設して、脚部(7)同士を重ね合わせ、天板(1)の脚部(7)に入れた切目線(8a)により蓋(8)の先端側を形成すると共に、前板(4)の脚部(7)に入れた切目線(9)により蓋(8)側へ突出する再封緘用の係止片(10)を形成し、天板(1)を正面に向け、脚部(7)で傾斜状態に支持して陳列できるようにしたことを特徴とする傾斜陳列包装箱。
【発明の詳細な説明】
【技術分野】
【０００１】
この発明は、菓子箱等として使用される包装箱であって、店頭で傾斜した状態で陳列でき、かつ、再封緘機能を有するものに関する。
【背景技術】
【０００２】
従来、下記特許文献１には、図６に示すように、天板５１、後板５２、底板５３、前板５４及び一対の側板５５を備え、前板５４から天板５１の側部沿いに後方へ切目線５６を入れて、その内側に蓋５７を形成し、切目線５６の切断に伴い、蓋５７を開けるようにすると共に、蓋５７の先端部を、前板５４の裏面に重なる折返片５８に入れたスリット状の切目線５９に差し込んで、再封緘できるようにした菓子用の包装箱が記載されている。
【０００３】
【特許文献１】実公平５−２４３２号公報
【発明の開示】
【発明が解決しようとする課題】
【０００４】
ところで、上記のような包装箱は、店頭において、需要層である子供や女性が見やすいように、比較的低い棚に載置して、天板を正面に向けた状態で陳列されることが多く、天板には、商品のイメージを高める印刷が施されている。
【０００５】
しかしながら、このように陳列すると、買物客の視線に対して天板が見下げるような角度となり、十分な訴求性が得られない場合がある。
【０００６】
また、上記包装箱では、開封時に、蓋の先端に指を掛けにくく、再封緘する際、蓋の先端をスリット状の切目線に差し込みにくいという問題もある。
【０００７】
そこで、この発明は、店頭での訴求性に優れ、開封や再封緘も容易な包装箱を提供することを課題とする。
【課題を解決するための手段】
【０００８】
上記課題を解決するため、この発明は、天板、後板、底板、前板及び側板を備え、天板の前方から側部沿いに後方へ切目線を入れて、その内側に蓋を形成し、切目線の切断に伴い蓋を開ける包装箱において、天板及び前板に前方へ突出する脚部を連設して、脚部同士を重ね合わせ、天板の脚部に入れた切目線により蓋の先端側を形成すると共に、前板の脚部に入れた切目線により蓋側へ突出する再封緘用の係止片を形成し、天板を正面に向け、脚部で傾斜状態に支持して陳列できるようにしたのである。
【発明の効果】
【０００９】
この発明に係る包装箱では、店頭で低い棚に置いて陳列する際、商品イメージを高める印刷を施した天板を正面に向け、脚部で傾斜状態に支持すると、天板が買物客の視線に相対し、他の商品と差別化を図ることができるので、高い訴求効果を得ることができ、脚部が二重となっていることから、商品の荷重による脚部の折れ曲がりも防止される。
【００１０】
また、開封に際し、脚部の蓋に臨んだ部分を指で押し下げると、蓋の先端が露出するので、その先端に指を掛けて、容易に蓋を開くことができる。
【００１１】
さらに、蓋を閉じて、前板の脚部から係止片を押し上げると、係止片が蓋の先端部に係合して、容易に再封緘でき、その状態で係止片を押し下げると、容易に再開封できる。
【発明を実施するための最良の形態】
【００１２】
以下、この発明の実施形態を添付図面に基づいて説明する。
【００１３】
この包装箱は、商品である菓子の包装に使用するものであり、図１に示すような板紙のブランクから形成される。
【００１４】
このブランクでは、天板１の後端に後板２、底板３及び前板４が順次連設され、天板１及び底板３の両側に側板５が、後板２及び前板４の両側に折曲片６がそれぞれ連設されている。天板１及び前板４の先端には、それぞれ脚部７が連設されている。
【００１５】
天板１には、脚部７から後板２との境界まで切目線８ａ，８ｂ，８ｃを入れて、その内側に蓋８が形成されている。蓋８の先端縁となる切目線８ａは、表裏に貫通する全切線とされ、両側縁となる内側の切目線８ｂは、鉤状切目が断続するジッパとされ、外側の切目線８ｃは、表面から厚さ方向の半分程度切り込んだ半切線とされている。
【００１６】
前板４の脚部７には、基端に向かう山型の全切線である切目線９が形成され、その中央部に突出した係止片１０が形成されている。また、蓋８の基部には、後板２との稜部に、膨出弧状の罫線に挟まれた面取部１１が設けられ、天板１には、商品のイメージを高める印刷が施されている。
【００１７】
このブランクを組み立てて商品を包装するには、図２に示すように、天板１、後板２、底板３及び前板４をスリーブ状に折り曲げ、天板１の脚部７の裏面に、前方へ折り曲げた前板４の脚部７を貼り付け、側面の開口から箱内に商品を挿入し、折曲片６を内側へ折り曲げ、天板１及び底板３から延びる側板５を貼り合わせて封緘する。
【００１８】
上記のような包装箱では、店頭で低い棚に置いて陳列する際、図３に示すように、天板１を正面に向け、脚部７で傾斜状態に支持すると、天板１が買物客の視線に相対し、他の商品と差別化を図ることができるので、高い訴求効果を得ることができる。
【００１９】
また、開封に際し、図２に示すように平置きした状態で、脚部７の蓋８に臨んだ部分を指で押し下げると、蓋８の先端が露出するので、その先端に指を掛けて引っ張り、切目線８ｂを切断することにより、図４に示すように、容易に蓋８を開くことができる。
【００２０】
このとき、天板１で紙の表面が外側へ捲れるように裂けても、捲れの進行が切目線８ｃで阻止されるので、開封後の包装箱の美観が損なわれることがない。
【００２１】
また、図５に示すように、蓋８を閉じて、前板４の脚部７から係止片１０を押し上げると、係止片１０が蓋８の先端部に係合して、容易に再封緘でき、その状態で係止片１０を押し下げると、蓋８と係止片１０の係合が解除されて、容易に再開封できる。
【００２２】
なお、上記実施形態では、両側の切目線８ｂ，８ｃが天板１に入れられているが、切目線８ｂ，８ｃは、側板５に回り込むように入れてもよい。
【００２３】
また、天板１の脚部７と前板４の脚部７とは、接着剤で貼り合せているが、切込により形成したロック片同士を係合させて、重合状態を維持するようにしてもよい。
【００２４】
さらに、ブランクにおいて、天板１の脚部７と前板４の脚部７とが罫線を介して繋がるようにしておき、これらを罫線に沿って折り重ねるようにしてもよく、天板１の後部と後板２にも脚部７を設けておき、前後対称の形状となるようにしてもよい。
【００２５】
また、前板４や後板２と側板５との稜部に面取部を設けて、外周が六角筒状や八角筒状となるようにしてもよい。
【図面の簡単な説明】
【００２６】
【図１】この発明の実施形態に係る包装箱のブランクを示す図
【図２】同上の封緘状態を示す斜視図
【図３】同上の傾斜陳列状態を示す斜視図
【図４】同上の開封状態を示す斜視図
【図５】同上の再封緘状態を示す斜視図
【図６】従来の包装箱の開封状態を示す斜視図
【符号の説明】
【００２７】
１  天板
２  後板
３  底板
４  前板
５  側板
６  折曲片
７  脚部
８  蓋
８ａ，８ｂ，８ｃ  切目線
９  切目線
１０  係止片
１１  面取部
【図１】
2008168915.tif 000003
【図２】
2008168915.tif 000004
【図３】
2008168915.tif 000005
【図４】
2008168915.tif 000006
【図５】
2008168915.tif 000007
【図６】
2008168915.tif 000008